(57)【要約】【課題】  放送信号の受信不良を防ぐことができる受信装置を提供する。【解決手段】  ＢＳ（Broadcasting Satellite）デジタル放送及び１１０度ＣＳ（Communications Satellite）デジタル放送をともに受信する受信装置において、入力多波デジタル放送信号からＢＳデジタル放送及び１１０度ＣＳデジタル放送の周波数帯域を取り出すフィルタ回路１２を備え、フィルタ回路１２は、ＢＳデジタル放送以外の少なくとも一部のチャンネルが選局された場合、ＢＳデジタル放送の周波数帯域を減衰させる。【選択図】  図１
2009206732.tif 000002
【特許請求の範囲】
【請求項１】
ＢＳ（Broadcasting Satellite）デジタル放送及び１１０度ＣＳ（Communications Satellite）デジタル放送をともに受信する受信装置において、
入力多波デジタル放送信号から上記ＢＳデジタル放送及び上記１１０度ＣＳデジタル放送の周波数帯域を取り出すフィルタ回路を備え、
上記フィルタ回路は、上記ＢＳデジタル放送以外の少なくとも一部のチャンネルが選局された場合、上記ＢＳデジタル放送の周波数帯域を減衰させることを特徴とする受信装置。
【請求項２】
上記フィルタ回路は、上記１１０度ＣＳデジタル放送のチャンネルが選局された場合、上記ＢＳデジタル放送の周波数帯域を減衰させることを特徴とする請求項１記載の受信装置。
【請求項３】
地上波デジタル・アナログ放送を受信するチューナをさらに備え、
上記フィルタ回路は、上記地上波デジタル・アナログ放送のチャンネルが選局された場合、上記ＢＳデジタル放送の周波数帯域を減衰させることを特徴とする請求項１記載の受信装置。
【請求項４】
上記入力多波デジタル放送信号は、上記ＢＳデジタル放送及び上記１１０度ＣＳデジタル放送の放送信号を含み、レベルが高周波側になるにつれて減衰していることを特徴とする請求項１記載の受信装置。
【請求項５】
上記フィルタ回路は、零点を高周波側に移動させ、上記ＢＳデジタル放送の周波数帯域を減衰させることを特徴とする請求項１記載の受信装置。
【請求項６】
上記フィルタ回路は、トラップ回路と、直列誘導ｍ型ハイパス・フィルタ回路と、定Ｋ型ハイパス・フィルタ回路とを備えることを特徴とする請求項１記載の受信装置。
【請求項７】
上記直列誘導ｍ型ハイパス・フィルタ回路は、コンデンサの容量が切り換え可能であることを特徴とする請求項６記載の受信装置。
【発明の詳細な説明】
【技術分野】
【０００１】
本発明は、テレビ放送などの高周波信号を受信する受信装置に関し、特に、ＢＳ（Broadcasting Satellite）デジタル放送及び１１０度ＣＳ（Communications Satellite）デジタル放送をともに受信する受信装置に関する。
【背景技術】
【０００２】
２００２年３月１日よりＢＳ軌道上(東経１１０度)に打上げられたＣＳ衛星(N-SAT-110)から１１０度ＣＳデジタル放送が順次開始された。１１０度ＣＳデジタル放送では、ＢＳデジタル放送と同じ右旋円偏波の電波で放送されているため、１１０度ＣＳデジタル用アンテナとチューナでＢＳデジタル放送が受信可能となっており、１１０度ＣＳデジタル放送対応のアンテナとチューナ(内蔵テレビ)を揃えれば、ＢＳデジタル放送に加えて１１０度ＣＳデジタル放送を視聴できる。
【０００３】
実際、ＢＳ専用アンテナでも周波数帯域が高周波側に伸びている場合があり、伝送路の周波数特性が極端にハイ落ち、例えば図８に示したレベル配分になっていたとしても、１１０度ＣＳデジタル放送の例えばＮＤ-２４の放送がチューナの感度以上のレベルであれば受信可能である。
【０００４】
また、ＢＳ・１１０度ＣＳデジタル放送の宅内配線は、従来から偏波切り換えや衛星切り換えが行われずに、分配、分岐、増幅等が行われていることが多く、このような配線のロスによって例えば図８に示すようなレベル配分であっても、１１０度ＣＳデジタル放送を全チャンネル受信可能なことが多い。この図８に示す受信レベルは、１１０度ＣＳデジタル放送の受信レベルがＢＳ放送よりも小さく、いわゆる「ハイ下がり」をなす受信環境であるが、チューナで充分受信処理することが可能であり、１１０度ＣＳ用のアンテナを特に設置せずにＢＳデジタル専用のアンテナのみでＣＳデジタル放送を利用する視聴者も多い。
【０００５】
従来のバリキャップ・ダイオード（可変容量ダイオード）に流す電圧を変化させて選局するシンセサイザー方式のチューナにおいては（例えば、特許文献１を参照のこと）、バリキャップ・ダイオードの選局用電圧の上限を３２Ｖにするとともに、同調フィルタを可変にして、妨害波のレベルを下げることで、ＢＳデジタル放送の強入力レベルを下げて１１０度ＣＳデジタル放送の低レベル信号に対する歪による被りを改善して、ＢＳデジタル放送のアンテナ環境下でも１１０度ＣＳデジタル放送を受信することができる。
【０００６】
また、チューナ内では、通常、高周波の放送信号をベースバンド信号にダウンコンバートするが、デジタル放送用チューナにおいては、中間周波数としてゼロ周波数（Ｚｅｒｏ−ＩＦ）を用いるダイレクト・コンバージョン方式が一般的となってきている（例えば、特許文献２参照。）。ダイレクト・コンバージョン方式によれば、ＩＦフィルタを用いないため広帯域化が容易となり、回路構成の柔軟性が向上させることができる。このダイレクト・コンバージョン方式を用いた場合、同調フィルタの必要がなくなり、例えば５Ｖ程度の高い電源電圧にすることで、歪による被りを防止し、ＢＳデジタル放送のアンテナ環境下でも１１０度ＣＳデジタル放送を受信することができる。
【０００７】
図９は、従来のダイレクト・コンバージョンによる周波数変換方式並びにバンク切り換えによる選局方式を採用した受信装置の構成を示す図である。この受信装置は、ＢＳデジタル放送及び１１０度ＣＳデジタル放送の多波デジタル放送を受信するチューナとして動作する。
【０００８】
図示しないＢＳアンテナで受信された放送波は、第一ＩＦ周波数（１０２２ＭＨｚ〜２０７２ＭＨｚ）に変換された後、例えばＦ型コネクタの入力端子１１から当該受信装置に入力される。この入力信号は、ハイパス・フィルタ（ＨＰＦ）１１２にて地上波放送などの不要成分を除去し、ＲＦアンプ１３にて約１０ｄＢだけ増幅される。その後、外付けＡＧＣアンプに相当する可変アッテネータ１４で信号レベルのダイナミック・レンジを狭めて、ダウンコンバータ２７に入力される。
【０００９】
ダウンコンバータ２７内では、まずＡＧＣアンプ１５により入力信号のレベルを一定にし、このレベルでミキサ１６ａ，１６ｂに入力される。ミキサ１６ａ，１６ｂには、ＰＬＬ（Phase locked loop）回路１７，１８，１９，２０から同一周波数のＣＷ（Ｃｏｎｔｉｎｕｏｕｓ Ｗａｖｅ：無変調波状態）信号が注入される。ここで、一方のミキサ１６ｂには、移相回路２１で位相が９０°変更されたＣＷ信号が注入され、ミキサ１６ａ，１６ｂからは、それぞれ位相が９０°異なるベースバンドのＩ信号及びＱ信号が出力される。
【００１０】
ダウンコンバートされたベースバンド信号（Ｉ信号，Ｑ信号）は、ベースバンド・アンプ２２ａ，２２ｂで増幅され、ローパス・フィルタ（ＬＰＦ）２３ａ，２３ｂで隣接周波数帯域の不要信号成分が除去され、さらにベースバンド・アンプ２４ａ，２４ｂを通過し、ダウンコンバータ２７から出力される。
【００１１】
ダウンコンバータ２７から出力されるアナログ・ベースバンド信号は、外付けローパス・フィルタ（ＬＰＦ）２５ａ，２５ｂで隣接信号を除去した後に、ＰＳＫ復調部２６に入力される。
【００１２】
ＰＳＫ復調部２６では、アナログ信号をデジタル信号に変換してから、８ＰＳＫ（8 Phase Shift Keying）、ＱＰＳＫ（Quadrature PSK）、又はＢＰＳＫ（Biphase PSK）といったＰＳＫ復調処理が施される。また、ＰＳＫ復調部２６では、可変アッテネータ１４及びＡＧＣアンプ１５における自動利得制御（Auto Gain Control）なども行われる。
【００１３】
【特許文献１】特開２０００−２７８０４２号公報
【特許文献２】特開２００２−３２６８６４号公報
【特許文献３】特開２００１−５３５７０号公報
【発明の開示】
【発明が解決しようとする課題】
【００１４】
しかしながら、例えば、上述のようなダイレクト・コンバージョンを用いたバンク切り替え方式のチューナにおいて、消費電力低減の観点から電源電圧が３．３Ｖと低くなった場合、歪に弱くなることから、従来受信可能であった１１０度ＣＳデジタル放送のハイ側が受信不能になる虞がある。
【００１５】
特に、ＢＳデジタル専用アンテナ使用時やマンション共聴などにより受信信号が極端なハイ下がりになっている環境では、１１０度ＣＳデジタル放送帯域の損失が大きくなるため、１１０度ＣＳデジタル放送信号の劣化を招来し、レベル差から生じる歪みの被りにより１１０度ＣＳデジタル放送の受信が不可能となる。
【００１６】
また、ダイレクト・コンバージョンを用いたバンク切り替え方式のチューナ回路を構成した場合には、同調フィルタが使用できなくなることから、ＢＳデジタル放送の強入力レベルを下げるという操作を行なうことができない。
【００１７】
このようにダイレクト・コンバージョンによる周波数変換方式やバンク切り換えによる選局方式を採用し、ＢＳデジタル衛星放送用のチューナとしての性能を向上させる結果として、これまでは特に設計を考慮しなくとも受信できていた１１０度ＣＳデジタル放送が受信不能になるという事態が生じている。
【００１８】
これらの対策の１つとして、例えば、特許文献３に記載されているように、高周波数の１１０度ＣＳデジタル放送から低周波数のＢＳデジタル放送にかけてロー下がりのチルトを形成するＢＳ・ＣＳイコライザを、ＢＳデジタル放送用チューナの前段に外付けするという方法が挙げられるが、この種の接栓タイプのイコライザを外付けする場合、１．２ｄＢ程度の挿入損があり、感度劣化を招来するという問題がある。
【００１９】
本発明は、このような従来の実情に鑑みて提案されたものであり、放送信号の受信不良を防ぐことができる受信装置を提供することを目的とする。
【課題を解決するための手段】
【００２０】
本発明に係る受信装置は、ＢＳ（Broadcasting Satellite）デジタル放送及び１１０度ＣＳ（Communications Satellite）デジタル放送をともに受信する受信装置において、入力多波デジタル放送信号から上記ＢＳデジタル放送及び上記１１０度ＣＳデジタル放送の周波数帯域を取り出すフィルタ回路を備え、上記フィルタ回路は、上記ＢＳデジタル放送以外の少なくとも一部のチャンネルが選局された場合、上記ＢＳデジタル放送の周波数帯域を減衰させることを特徴としている。
【発明の効果】
【００２１】
本発明によれば、ＢＳデジタル放送以外の少なくとも一部のチャンネルが選局された場合、ＢＳデジタル放送の周波数帯域を減衰させることにより、それ以降の能動素子で発生する複合３次歪を低減してＣ／Ｎの劣化を防ぎ、放送信号の受信不良を防ぐことができる。
【発明を実施するための最良の形態】
【００２２】
以下、本発明の具体的な実施の形態について、図面を参照しながら詳細に説明する。本発明の具体例として示す受信装置は、多波デジタル放送信号の減衰周波数帯域を選局に応じて切り換えるようにしたものである。
【００２３】
〔第１の実施の形態〕  
図１は、本発明の一実施形態に係る受信装置の構成例を示す図である。この受信装置は、ダイレクト・コンバージョンによる周波数変換方式並びにバンク切り換えによる選局方式を採用した、ＢＳデジタル放送及び１１０度ＣＳデジタル放送の多波デジタル放送を受信するチューナとして動作する。なお、図９に示す従来の受信装置と同様な構成には、同一符号を付して説明する。
【００２４】
図示しないＢＳアンテナで受信された放送波、第一ＩＦ周波数（１０２２ＭＨｚ〜２０７２ＭＨｚ）に変換された後、例えばＦ型コネクタの入力端子１１から当該受信装置に入力される。この入力信号は、所定周波数帯域を減衰させるフィルタ回路１２にて地上波放送などの不要成分が除去され、ＲＦアンプ１３にて約１０ｄＢだけ増幅される。このフィルタ回路１２は、後述するように、入力信号の減衰周波数帯域を選局に応じて切り換えることができる。
【００２５】
その後、外付けＡＧＣアンプに相当する可変アッテネータ１４で信号レベルのダイナミック・レンジを狭めて、ダウンコンバータ２７に入力される。このダウンコンバータ２７は、ＲＦ信号をダイレクト・コンバージョン方式によりアナログ・ベースバンド信号にダウンコンバートする。
【００２６】
ダウンコンバータ２７内では、まずＡＧＣアンプ１５により入力信号のレベルを一定にし、このレベルでミキサ１６ａ，１６ｂに入力される。ミキサ１６ａ，１６ｂには、ＰＬＬ（Phase locked loop）回路１７，１８，１９，２０から同一周波数のＣＷ（Ｃｏｎｔｉｎｕｏｕｓ Ｗａｖｅ：無変調波状態）信号が注入される。ここで、一方のミキサ１６ｂには、移相回路２１で位相が９０°変更されたＣＷ信号が注入され、ミキサ１６ａ，１６ｂからは、それぞれ位相が９０°異なるベースバンドのＩ信号及びＱ信号が出力される。
【００２７】
ダウンコンバートされたベースバンド信号（Ｉ信号，Ｑ信号）は、ベースバンド・アンプ２２ａ，２２ｂで増幅され、ローパス・フィルタ（ＬＰＦ）２３ａ，２３ｂで隣接周波数帯域の不要信号成分が除去され、さらにベースバンド・アンプ２４ａ，２４ｂを通過し、ダウンコンバータ２７から出力される。
【００２８】
ダウンコンバータ２７から出力されるアナログ・ベースバンド信号は、外付けローパス・フィルタ（ＬＰＦ）２５ａ，２５ｂで隣接信号を除去した後に、ＰＳＫ復調部２６に入力される。
【００２９】
ＰＳＫ復調部２６では、アナログ信号をデジタル信号に変換してから、８ＰＳＫ（8 Phase Shift Keying）、ＱＰＳＫ（Quadrature PSK）、又はＢＰＳＫ（Biphase PSK）といったＰＳＫ復調処理が施される。また、ＰＳＫ復調部２６では、可変アッテネータ１４及びＡＧＣアンプ１５における自動利得制御（Auto Gain Control）なども行う。このＰＳＫ復調部２６は、例えば、μＰＤ６１５２２ＧＣといった復調用ＩＣチップで構成することができる。
【００３０】
このような受信装置において、例えば図８のように、入力多波デジタル信号がＢＳデジタル放送及び１１０度ＣＳデジタル放送の放送信号を含み、レベルが高周波側になるにつれて減衰している場合においてＮＤ−２４を受信しようとした場合、このチャンネルに対してＡＧＣアンプ１５が働くので、ＢＳデジタル放送信号が強入力状態で回路を通過することになる。このような強入力状態では、ダウンコンバータ２７内の特にミキサ１６ａ，１６ｂが影響を受け、複合３次歪みが生じてしまう。
【００３１】
３次歪み（ＩＭ３、相互変調妨害）は、希望波に対して均等に２波が並ぶと希望波と近接又は同一周波数に被る妨害信号である。これが更に多波あると、均等に並ぶ組み合わせは複数になり、複合３次歪みになる。
【００３２】
例えば、希望波  Ａ＝１０００ＭＨｚ、妨害波  Ｂ＝１０５０ＭＨｚ  Ｃ＝１１００ＭＨｚとすると、３次歪みは以下のようになる。
【００３３】
３次歪み＝Ｂ×２−Ｃ，  １０５０×２−１１００＝１０００ＭＨｚ＝Ａ
また、希望波  Ａ＝１０００ＭＨｚ、妨害波  Ｂ＝９５０ＭＨｚ  Ｃ＝９００ＭＨｚとすると、３次歪みは以下のようになる。
【００３４】
３次歪み＝Ｂ×２−Ｃ，  ９５０×２−９００＝１０００ＭＨｚ＝Ａ
また、現在の放送信号により具体的に説明する。表１Ａ〜表１Ｄに現在の放送信号における妨害波の組み合わせを示す。
【００３５】
【表１】
2009206732.tif 000003
【００３６】
【表２】
2009206732.tif 000004
【００３７】
【表３】
2009206732.tif 000005
【００３８】
【表４】
2009206732.tif 000006
【００３９】
上述のように図８に示すような受信環境では、希望波のレベルが低いＮＤ−１８〜ＮＤ−２４に関係するＢＳデジタル放送信号の影響が大きく、３次歪みにより帯域内妨害波が発生してしまう。例えば、３次歪みが受信帯域の１７．２ＭＨｚ（絶対値）以内に被ると受信が困難となる。
【００４０】
ＮＤ−２２（第一中間周波数：２０１３ＭＨｚ）の場合、ＮＤ−２（１６１３ＭＨｚ）及びＢＳ−９（１２０２．９２ＭＨｚ）が妨害波となる。
【００４１】
２０１３−（１６１３×２−１２０２．９２）＝  −１０．０８ＭＨｚ
また、ＮＤ−４（１６５３ＭＨｚ）及びＢＳ−１３（１２７９．６４ＭＨｚ）も妨害波となる。
【００４２】
２０１３−（１６５３×２−１２７９．６４）＝  −１３．３６ＭＨｚ
また、同様にＮＤ−１８（第一中間周波数：１９３３ＭＨｚ）の場合、ＮＤ−２（１６１３ＭＨｚ）及びＢＳ−１３（１２７９．６４ＭＨｚ）が妨害波となる。また、ＮＤ−２０（第一中間周波数：１９３３ＭＨｚ）の場合、ＮＤ−２（１６１３ＭＨｚ）及びＢＳ−１１（１２４１．２８ＭＨｚ）が妨害波となる。また、ＮＤ−２４（第一中間周波数：２０５３ＭＨｚ）の場合、ＮＤ−２（１６１３ＭＨｚ）及びＢＳ−７（１１６４．５６ＭＨｚ）が妨害波となり、ＮＤ−４（１６５３ＭＨｚ）及びＢＳ−１１（１２４１．２８ＭＨｚ）も妨害波となる。
【００４３】
このため、本実施の形態の受信装置では、多波デジタル放送信号の減衰周波数帯域を選局に応じて切り換えるフィルタ回路１２を設けて、ダウンコンバータ２７のポート端子２８からの制御信号（フィルタスイッチ）に応じてフィルタ特性を切り換え、１１０度ＣＳデジタル放送受信時は、ある関数ｆによって０に移される点である零点又は最大利得から−３ｄＢの減衰となるカットオフ周波数を高周波側に移動させて、ＢＳデジタル放送帯域のゲインを落とす。
【００４４】
例えば、ＮＤ−２４受信時、上述したＢＳ放送帯域の影響により発生する複数の３次歪が複合３次歪みとなって、同一チャンネル妨害Ｄ／Ｕ（Desired to Undesired）として被ってくることで、Ｃ／Ｎ（Carrier to Noise ratio：キャリア対ノイズ比）が劣化して受信障害となるが、フィルタ回路１２にてＢＳデジタル放送帯域のゲインを減少させることにより、ダウンコンバータ２７内のミキサ１６ａ，１６ｂへのＢＳデジタル放送帯域の入力レベルが抑制され、複合３次歪みの影響を軽減し、Ｃ／Ｎの劣化を防ぐことができる。
【００４５】
図２は、受信装置におけるフィルタ回路例を示す図である。なお、図１に示す受信装置と同様な構成には、同一符号を付して説明を省略する。
【００４６】
このフィルタ回路１２において、フィルタスイッチがＬＯＷの時、＋Ｂから供給される電圧により、ダイオードＤ１，Ｄ２に電流が流れる。これにより２つのコンデンサＣ２,Ｃ３の合成容量と、２つのコンデンサＣ４，Ｃ５の合成容量となる。この時のフィルタ特性は、ＢＳデジタル放送帯域及び１１０度ＣＳデジタル放送帯域を通過させるＨＰＦとなる。
【００４７】
また、フィルタスイッチがＨＩＧＨの時、ダイオードＤ１,Ｄ２には逆電圧がかかり電流は流れない。このため２つのコンデンサＣ２，Ｃ５の容量となる。この時のフィルタ特性は、ＢＳデジタル放送帯域を減衰させ、１１０度ＣＳデジタル放送帯域を通過させるＨＰＦとなる。
【００４８】
なお、このフィルタ構成において、ダウンコンバータ２７の複合３次歪への耐性に応じてダイオードＤ１のみに電流が流れるフィルタ特性としてもよい。
【００４９】
図３は、フィルタ特性の切り換え動作を示すフローチャートである。フィルタスイッチ（ＨＩＧＨ／ＬＯＷ）切り換えは、汎用出力ポート、Ｄ／Ａコンバータ出力等、端子電圧出力を可変できる端子を用いてソフトウェア制御によって行うことができる。この実施の形態では、フィルタ切り換え用端子としてダウンコンバータ２７のポート端子２８を用いている。
【００５０】
ステップＳ１において、選局された放送チャンネルの第一ＩＦ周波数がＢＳ帯か否かを判定する。ＢＳデジタル放送を受信する場合、ステップＳ２に進み、ポート端子２８の出力をＬＯＷにして、ＢＳデジタル放送帯域及び１１０度ＣＳデジタル放送帯域を通過させるＨＰＦとする。
【００５１】
また、ステップＳ１において、ＢＳデジタル放送以外、例えば１１０度ＣＳデジタル放送を受信する場合、ステップＳ３に進み、ポート端子２８の出力をＨＩＧＨにして、ＢＳデジタル放送帯域を減衰させ、１１０度ＣＳデジタル放送帯域を通過させるＨＰＦとする。なお、ダウンコンバータ２７の複合３次歪への耐性によっては、１１０度ＣＳ放送の高帯域チャンネルの選局により切り換えるようにしてもよい。
【００５２】
次に、図４及び図５を参照してフィルタ回路１２の切り換えによるフィルタ特性の変化について、説明する。図４はフィルタ回路の構成を示す模式図であり、図５はフィルタ特性を示す模式図である。
【００５３】
フィルタ回路１２は、トラップ回路１２ａと、直列誘導ｍ型ハイパス・フィルタ回路１２ｂと、定Ｋ型ハイパス・フィルタ回路１２ｃとを備えている。
【００５４】
トラップ回路１２ａは、ＵＨＦ帯域又はＶＨＦ帯域を任意に減衰させ、衛星放送受信アンテナのＬＮＢ（Low Noise Block Converter）電源供給用のチョークコイル又はパターンコイルをインダクタＬ１としてコンデンサＣ８との直列共振で構成されている。
【００５５】
直列誘導ｍ型ハイパス・フィルタ回路１２ｂは、主に零点移動に寄与し、ＢＳ−１５以下の周波数を効率的に減衰させる。ダイオードＤ１をＯＮとすることで、２つのコンデンサＣ２，Ｃ３の合成容量となる。また、ダイオードＤ１をＯＦＦとすることで、１つのコンデンサＣ２の容量のみとなる。
【００５６】
定Ｋ型ハイパス・フィルタ回路１２ｃは、主にカットオフ周波数の移動に寄与し、ＢＳデジタル放送帯域をさらに減衰させる。ダイオードＤ２は、ダイオードＤ１の切り換えと連動して動作するスイッチとなる。ダイオードＤ２をＯＮとすることで、２つのコンデンサＣ４，Ｃ５の合成容量となる。また、ダイオードＤ１をＯＦＦとすることで、１つのコンデンサＣ５の容量のみとなる。
【００５７】
ここで、ＢＳデジタル放送のチャンネルが選局された場合、ダイオードＤ１，Ｄ２をＯＮ、すなわちフィルタスイッチをＬＯＷとすることで２つのコンデンサＣ２，Ｃ３の合成容量と、２つのコンデンサＣ４，Ｃ５の合成容量となり、図５に示す線ａのように零点（Null Point）がＵＨＦ帯域に設定される。これによりＢＳ−１〜ＮＤ−２４を通過域とするフィルタとなる。
【００５８】
また、ＢＳデジタル放送以外の少なくとも一部のチャンネルが選局された場合、ダイオードＤ１をＯＦＦとすることで、コンデンサＣ２の容量と、２つのコンデンサの合成容量Ｃ４，Ｃ５となり、図５に示す線ｂのように零点をＢＳ−１５付近に移動させ、ＢＳデジタル放送帯域を効率的に減衰させるフィルタになる。この時、最大利得から−３ｄＢの減衰となるカットオフ周波数もＢＳ−１５方向へ移動する。
【００５９】
また、ＢＳデジタル放送以外の少なくとも一部のチャンネルが選局された場合、ダイオードＤ１，Ｄ２をＯＦＦ、すなわちフィルタスイッチをＨＩＧＨとすることで、コンデンサＣ２の容量と，コンデンサＣ５の容量となり、図５に示す線ｃのようにＢＳデジタル放送帯域をさらに減衰させることができる。
【００６０】
なお、ＢＳデジタル放送が関係する複合３次歪みによる妨害が、ダイオードＤ１の切り換えのみで所望の特性を得られる場合はコンデンサＣ４及びダイオードＤ２を削除し、ダイオードＤ１のみＯＮ／ＯＦＦの切り換えを行ってもよい。
【００６１】
このようにＢＳデジタル放送以外のチャンネルが選局された場合、ＢＳデジタル放送の周波数帯域を減衰させるフィルタ回路１２を備えることにより、図６に示すようなレベル配分の多波デジタル信号を得ることができ、それ以降の能動素子で発生する複合３次歪を低減してＣ／Ｎの劣化を防ぎ、放送信号の受信不良を防ぐことができる。
【００６２】
〔第２の実施の形態〕  
また、地上波デジタル・アナログ放送チューナと、ＢＳ・１１０度ＣＳデジタル放送チューナとが一体となった受信装置においても、地上波デジタル・アナログ放送のチャンネルを選局した場合、ＢＳデジタル放送帯域の強入力が妨害となることがある。
【００６３】
図７は、地上波デジタル・アナログ放送チューナと、ＢＳ・１１０度ＣＳデジタル放送チューナとが一体となった受信装置の構成例を示す図である。なお、図１に示す従来の受信装置と同様な構成には、同一符号を付して説明する。
【００６４】
この一体型受信装置において、地上波デジタル・アナログ放送信号は、入力端子３１から入力され、ＩＦフィルタ３２を通り、同調回路（ＢＰＦ）３３で所望のチャンネル周波数（ＶＨＦ、ＣＡＴＶ、ＵＨＦ）をある程度選択する。
【００６５】
ＲＦＡＧＣ電圧でレベルをコントロールされているＡＧＣアンプ３４で一定のレベルへ揃え、その信号はＭＯＰＬＬ（mixer-oscillator/phase locked loop）ＩＣ３５へ入力される。
【００６６】
ＭＯＰＬＬＩＣ３５では、入力信号が局部発振器３７によりミキサ３６で中間周波数（ＩＦ、５７ＭＨｚ中心）へダウンコンバートされ、ＩＦアンプ３８でさらに増幅された後、出力される。この出力信号は、ＳＡＷ（Surface Acoustic Wave）フィルタ３９で帯域外の不要な信号の削除を行い、ＩＦアンプ４０を通りＶＩＦ／ＭＰＸ（Multiplex）回路４１へと入力される。
【００６７】
一方、ＢＳ・１１０度ＣＳデジタル放送信号は、入力端子１１から入力され、上述したフィルタ回路１２に入力される。その後、ＲＦアンプ１３で増幅される。
【００６８】
ＲＦアンプ１３の周辺回路は、増幅されることで信号が輻射しやすく、この信号が地上波デジタル・アナログ放送チューナのＡＧＣアンプ３４からＭＯＰＬＬＩＣ３５間に飛び込むと、局部発振器３７の高調波とミキサ３６とでＩＦ信号が生成され、この周波数が地上波デジタル・アナログ放送で利用している中間周波数と同一又は近似であった場合に妨害となる。例を挙げると、以下のとおりである。
【００６９】
地上８ｃｈローカル  ２５２ＭＨｚ  ×  高調波  ５  ―  ＢＳ９  １２０２．９２ＭＨｚ  ＝  ５７．１ＭＨｚ  
したがって、地上波デジタル・アナログ放送チューナと、ＢＳ・１１０度ＣＳデジタル放送チューナとが一体となった受信装置において、マンション等の共聴システムによって、低周波数帯域のＢＳデジタル放送が強入力されている場合であっても、地上波デジタル・アナログ放送の受信時にフィルタ回路１２を１１０度ＣＳデジタル放送帯域のみの通過に切り換えることで、ＢＳデジタル放送帯域のレベルを下げて地上波デジタル・アナログ放送信号への妨害を軽減することができる。
【００７０】
このように複合３次歪を発生する能動素子の前段で、高いレベルのＢＳデジタル放送信号を減衰させるため、従来の対策と比較しても副作用がなく、また、選局ソフトウェアと同時にフィルタ切り換えを行うため、切り換えによる副作用もなくすことができる。さらに、ＢＳ・ＣＳイコライザ等を後付しないで済むため、感度劣化を防ぐことができる。
【図面の簡単な説明】
【００７１】
【図１】第１の実施の形態に係る受信装置の構成を示す図である。
【図２】受信装置におけるフィルタ回路例を示す図である。
【図３】フィルタ特性の切り換え動作を示すフローチャートである。
【図４】フィルタ回路の構成を示す模式図である。
【図５】フィルタ特性を示す模式図である。
【図６】悪受信環境における放送信号のレベル配分を示す模式図である。
【図７】第２の実施の形態に係る受信装置の構成を示す図である。
【図８】悪受信環境における放送信号のレベル配分を示す模式図である。
【図９】従来の受信装置の構成を示す図である。
【符号の説明】
【００７２】
１１  入力端子、  １２  フィルタ回路、  １３  ＲＦアンプ、  １４  可変アッテネータ、  １５  ＡＧＣアンプ、  １６ａ，１６ｂ  ミキサ、  １７，１８，１９，２０  ＰＬＬ回路、  ２１  移相回路、  ２２ａ，２２ｂ  ベースバンド・アンプ、  ２３ａ，２３ｂ  ローパス・フィルタ、  ２４ａ，２４ｂ  ベースバンド・アンプ、  ２５ａ，２５ｂ  外付けローパス・フィルタ、  ２６  復調部、  ２７  ダウンコンバータ、  ２８  出力ポート、  ３１  入力端子、  ３２  フィルタ、  ３４  アンプ、  ３６  ミキサ、  ３７  局部発振器、  ３８  ＩＦアンプ、  ３９  ＳＡＷフィルタ、  ４０  ＩＦアンプ、  ４１  ＶＩＦ／ＭＰＸ回路
【図１】
2009206732.tif 000007
【図２】
2009206732.tif 000008
【図３】
2009206732.tif 000009
【図４】
2009206732.tif 000010
【図５】
2009206732.tif 000011
【図６】
2009206732.tif 000012
【図７】
2009206732.tif 000013
【図８】
2009206732.tif 000014
【図９】
2009206732.tif 000015